(57)【特許請求の範囲】
【請求項１】
自動車（１）と前記自動車（１）の周囲領域（７）にある少なくとも１つの物体（１０、１１）との相対位置が、前記自動車（１）のセンサデバイス（９）によって検出され、前記自動車（１）が前記少なくとも１つの物体（１０、１１）を通過して走行するための走行経路（１２）が、前記検出された相対位置に基づいて決定され、前記決定された走行経路（１２）に沿って走行している間の前記自動車（１）と前記少なくとも１つの物体（１０、１１）との距離を示す衝突距離が決定される、前記自動車（１）を少なくとも半自律的に操縦するための方法であって、
前記自動車（１）が前記走行経路（１２）に沿って走行する前に、前記自動車（１）と前記少なくとも１つの物体（１０、１１）との間の不確定領域（ａ、ａ’）が決定され、前記衝突距離は、前記決定された不確定領域（ａ、ａ’）に応じて調整され、前記走行経路（１２）に沿った前記自動車（１）の走行は、前記調整された衝突距離に応じて制御され、
前記不確定領域（ａ、ａ’）は、前記センサデバイス（９）のタイプ、前記自動車（１）と前記少なくとも１つの物体（１０、１１）との前記相対位置の検出中の前記自動車（１）の現行速度、および前記自動車（１）と前記少なくとも１つの物体（１０、１１）との前記検出された相対位置に、基づいて決定され、
前記自動車（１）の前記周囲領域（７）においてさらなる物体がさらに検知され、前記さらなる物体の現行位置が、前記自動車（１）と前記少なくとも１つの物体（１０、１１）との間に決定された前記不確定領域（ａ、ａ’）内にあるか確認されることを特徴とする方法。
【請求項２】
前記自動車（１）と前記少なくとも１つの物体（１０、１１）との前記相対位置は、前記走行経路（１２）に沿った前記自動車（１）の走行中、継続的に検出され、前記不確定領域（ａ、ａ’）は、前記検出された相対位置に応じて調整されることを特徴とする、請求項１に記載の方法。
【請求項３】
前記衝突距離は、前記自動車（１）の外寸および所定の安全距離（Ｓ）に基づいてさらに調整されることを特徴とする、請求項１から２のいずれか一項に記載の方法。
【請求項４】
前記調整された衝突距離に達したときの前記自動車（１）と前記検出された走行経路（１２）の終点との距離を示す残り距離（１４）が検出されることを特徴とする、請求項１から３のいずれか一項に記載の方法。
【請求項５】
前記検出された走行経路（１２）に沿った前記自動車（１）の走行の速度プロファイルが、前記検出された残り距離（１４）に応じて決定されることを特徴とする、請求項４に記載の方法。
【請求項６】
前記走行経路（１２）に沿った前記自動車（１）の走行を示すモデルが決定され、前記衝突距離は、前記決定されたモデルに応じてさらに調整されることを特徴とする、請求項１から５のいずれか一項に記載の方法。
【請求項７】
前記検出された走行経路（１２）に沿った走行中の前記自動車（１）の現行位置が決定され、前記残り距離（１４）は、前記自動車（１）の前記決定された現行位置に基づいて調整されることを特徴とする、請求項４から６のいずれか一項に記載の方法。
【請求項８】
前記自動車（１）が前記走行経路（１２）に沿って走行する間に走行方向の変更を少なくとも１回行うようにする前記走行経路（１２）が検出され、前記走行方向の変更が実行される前記走行経路（１２）の地点からの距離が検出されることを特徴とする、請求項１から７のいずれか一項に記載の方法。
【請求項９】
前記検出された走行経路（１２）に沿った前記自動車（１）の走行の速度プロファイルが、前記走行方向の変更が実行される前記地点からの前記検出された距離に応じてさらに決定されることを特徴とする、請求項８に記載の方法。
【請求項１０】
前記調整された衝突距離に応じて前記走行経路（１２）に沿った前記自動車（１）の走行を制御するために、前記自動車（１）のステアリングシステム、ブレーキシステムおよび／または駆動エンジンへの介入がなされることを特徴とする、請求項１から９のいずれか一項に記載の方法。
【請求項１１】
前記走行経路（１２）に沿った走行中、前記自動車（１）は、並列駐車のための駐車スペースまたは縦列駐車のための駐車スペースに入ることを特徴とする、請求項１から１０のいずれか一項に記載の方法。
【請求項１２】
請求項１から１１のいずれか一項に記載の方法を実行するように構成された運転者支援システム（２）。
【請求項１３】
請求項１２に記載の運転者支援システム（２）を備えた自動車（１）。
【発明の詳細な説明】
【技術分野】
【０００１】
本発明は、自動車と自動車の周囲領域にある少なくとも１つの物体との相対位置が、自動車のセンサデバイスによって検出され、自動車が少なくとも１つの物体を通過して走行するための走行経路が、検出された相対位置に基づいて決定され、自動車と決定された走行経路に沿った走行中の少なくとも１つの物体との距離を示す衝突距離が決定される、自動車を少なくとも半自律的に操縦する方法に関する。また、本発明は、運転者支援システムと、このような運転者支援システムを備えた自動車とに関する。
【背景技術】
【０００２】
昨今、自動車の運転時、特に自動車を駐車スペースに駐車するさいに運転者を支援する運転者支援システムへの関心が特に高まっている。駐車スペースの検出や駐車スペースが空いているかどうかの検出を行うセンサを用いて、駐車プロセス中の運転者支援を行いうる運転者支援システムが従来からすでに知られている。このようなシステムにおいて、運転者は、縦列駐車中および並列駐車中のいずれの場合も支援を受けることができる。また、駐車プロセス中に半自律的に自動車を移動させることができる運転者支援システムが知られている。この場合は、運転者支援システムが自動車の操舵を行い、運転者がアクセルペダルおよびブレーキを作動させる。また、自動車の自律操縦を可能にする運転者支援システムがすでに知られている。
【０００３】
この点に関して、独国特許出願公開第１０２０１１０８６２１０（Ａ１）号明細書には、運転操縦の実行中に自動車が移動する運転路を決定する、運転操縦中の自動車の運転者を支援するための方法が開示されている。この方法では、運転操縦が自動的または半自動的に行われる。運転路内に物体があれば、自動車は停止される。物体が運転路からなくなるとすぐに、運転操縦は再開される。この方法は、例えば、自動車を駐車するためにも使用することができる。
【０００４】
さらに、独国特許出願公開第１０２０１００２３１６４（Ａ１）号明細書に、自動車の運転者支援システムを用いて自動車の周囲にある物体の存在を自動車の運転者に警告するための方法が記載されている。同文献では、自動車に対する物体の相対位置が、センサデバイスのデータに基づいて決定される。また、自動車の予測運転経路または予測運転路が検出される。この方法は、例えば、駐車スペースに駐車するさいに適用することができる。
【０００５】
さらに、独国特許出願公開第１０２００８０２７７７９（Ａ１）号明細書には、駐車スペースに駐車するさいに車両の運転者を支援するための方法が記載されている。この場合、駐車対象となりうる駐車スペースが測定され、駐車経路が算出される。駐車スペースの形状は、駐車プロセス中も継続して検出され、駐車プロセスを開始する前に検出された駐車スペースの形状と比較される。２つの駐車スペースの形状が互いに異なる場合、存在するずれが評価され、適切であれば、駐車経路の修正および／または算出がなされる。
【０００６】
さらに、独国特許出願公開第１０２００９０４０３７３（Ａ１）号明細書には、車両を少なくとも半自律的な駐車プロセスを実行するための方法が開示されている。ここで、駐車プロセスの開始前に駐車支援システムのセンサデバイスによって駐車スペースの候補が検知され、駐車スペースにおける最終位置に到達するために駐車プロセス中に車両が走行することになる駐車経路が、検知された駐車スペースに応じて決定される。また、駐車プロセスの開始後、駐車スペースの境界を定める物体からの車両の距離が検知されるたびに、複数の距離のうちの少なくとも１つについての所定の補正基準が満たされると、駐車経路が補正される。
【先行技術文献】
【特許文献】
【０００７】
【特許文献１】独国特許出願公開第１０２０１１０８６２１０（Ａ１）号明細書
【特許文献２】独国特許出願公開第１０２０１００２３１６４（Ａ１）号明細書
【特許文献３】独国特許出願公開第１０２００８０２７７７９（Ａ１）号明細書
【特許文献４】独国特許出願公開第１０２００９０４０３７３（Ａ１）号明細書
【発明の概要】
【発明が解決しようとする課題】
【０００８】
本発明により解決される課題は、自動車の少なくとも半自律的な操縦が、高信頼性および高快適性で実行可能である方法を提示することである。
【課題を解決するための手段】
【０００９】
上記課題を解決するために、本発明により、独立請求項に記載された特徴をそれぞれ備えた運転者支援システムおよび自動車が提供される。本発明の好ましい実施形態は、従属請求項、本願明細書および図面に係る主題である。
【００１０】
本発明に係る方法は、自動車の少なくとも半自律的な操縦を行うためのものである。この場合、自動車と自動車の周囲領域にある少なくとも１つの物体との相対位置が、自動車のセンサデバイスによって検出される。さらに、自動車が少なくとも１つの物体を通過して走行するための走行経路が、検出された相対位置に基づいて決定され、決定された走行経路に沿って走行している間の自動車と少なくとも１つの物体との距離を示す衝突距離が決定される。また、走行経路に沿った自動車の走行前に、自動車と少なくとも１つの物体との間の不確定領域が決定される。さらに、走行経路に沿った自動車の走行前に、衝突距離は、決定された不確定領域に応じて調整される。最後に、走行経路に沿った自動車の走行は、調整された衝突距離に応じて制御される。
【００１１】
本発明は、自動車を少なくとも半自律的に操縦するための方法において、これまで知られてきた方法では、自動車の操縦が運転者にとって不快な方法でなされるという問題が生じうるという認識に基づいてなされたものである。このような問題が生じる理由として、自動車の長手方向の案内について、通常、始点から終点までの走行経路が決定されるということが挙げられる。運転者支援システムは、この状況において、例えば、速度は最大であるが、所定の加速値は超えないように終点までの速度プロファイルを算出する。さらに、従来技術によれば、速度プロファイルを決定するために、走行経路における自動車の運転中、衝突距離、すなわち、自動車と物体との距離が考慮される。衝突距離は、衝突予測距離（ＤＴＣ：Ｄｉｓｔａｎｃｅ  ｔｏ  Ｃｏｌｌｉｓｉｏｎ）とも呼ばれる。また、走行経路の終点が決定されうる。そして、走行経路に沿った運転中に物体からの距離が変更されると、運転者支援システムが自動車を減速させる事態が引き起こされうる。
【００１２】
本発明によれば、自動車と少なくとも１つの物体との間の不確定領域が決定されるような構成が提供される。この不確定領域は、特に、少なくとも１つの物体に対して自動車の相対位置を決定している間の空間的な不確定性を表すものである。この不確定領域は、走行経路に沿った自動車の運転前に決定される。なお、不確定領域は、物体に対する自動車の相対位置を検知したすぐ後に決定されまたは予め規定されてもよい。少なくとも１つの物体が、例えば、駐車スペースの境界を定めるものであれば、不確定領域は、駐車スペースを測定したすぐ後に決定されてもよい。したがって、不確定領域は、自動車が物体を通過し、または駐車スペースの中に入る前に決定される。少なくとも１つの物体の位置および／または外寸を決定している間の空間的な不確定性も、不確定領域に考慮されてもよい。さらに、不確定領域の決定中、自動車の位置を決定している間の空間的な不確定性を考慮することもできる。自動車の位置は、例えば、走行距離計によって決定される。このような状況において、物体または物体の位置が検知された後、走行距離計測中に累積誤差が生じうる。不確定領域を決定している間に、自動車と物体との相対位置の決定中に空間的な不確定性が、物体および／または自動車の位置が周囲のマップにおいて引き続き処理されるセンサモデルに基づいて決定されることにより生じうるということを考慮することもできる。自動車と物体との間の決定された衝突距離は、自動車が走行経路に沿って走行する前に不確定領域に対して調整される。さらに、自動車は、調整された衝突距離に応じて検出された走行経路に沿って操縦される。このようにして、自動車の動きは、物体との衝突が起こらない可能性が高いことが想定される領域において制御されうる。このようにして、自動車と物体との衝突距離が所定の最小値に届かずに、ある状況下において、自動車の速度や加速度が急に減速する状況を招きうる事態を回避することも可能となる。したがって、運転者が不快に感じることのない、走行経路に沿った少なくとも半自律的な操縦が可能となる。上記方法は、特に、自動車の駐車および／または操縦のためのものでありうる。
【００１３】
不確定領域は、センサデバイスのタイプ、自動車と少なくとも１つの物体との相対位置の検出中の自動車の現行速度および／または自動車と少なくとも１つの物体との検出された相対位置に基づいて決定されることが好ましい。センサデバイスは、自動車と物体との間の距離が検知されうる少なくとも１つの距離センサを備えうる。さらに、センサデバイスは、少なくとも１つの物体の外寸を決定するように構成されうる。センサデバイスは、例えば、少なくとも１つの超音波センサ、少なくとも１つのカメラ、少なくとも１つのレーダセンサおよび／または少なくとも１つのレーザセンサを含みうる。測定精度、例えば、物体の位置および／または寸法の検知中の測定精度は、センサの構成に応じてさまざまである。これらの測定精度は、不確定領域の決定中、考慮されうる。さらに、物体に対する自動車の相対位置および／または相対速度は、物体の検知中に考慮されうる。したがって、不確定領域は、特に高信頼性に決定されうる。
【００１４】
一実施形態において、自動車と少なくとも１つの物体との相対位置は、走行経路に沿った自動車の走行中、継続的に検出され、不確定領域は、検出された相対位置に応じて調整される。検出された走行経路に沿った走行中、運転者支援システムは、通常、少なくとも１つの物体を示す比較的精度の高い情報を受け取る。例えば、物体の位置および／または物体の外寸は、自動車が物体に接近するにつれより高精度に決定されうる。したがって、不確定領域は、この情報に基づいて継続的に調整されうる。
【００１５】
衝突距離は、自動車の外寸および所定の安全距離に基づいてさらに調整されることが好ましい。自動車と少なくとも１つの物体との間の衝突距離を決定している間、自動車の外寸が考慮されえ、このような外寸は、例えば、運転者支援システムのメモリユニットに格納されたであってもよい。自動車と物体との相対位置を決定している間、自動車の外寸に安全距離が追加されうる。このようにして、不確定領域の他にも、衝突距離を決定するさいに安全距離を考慮することも可能である。
【００１６】
さらなる改良において、調整された衝突距離に到達したときの自動車と検出された走行経路の終点との距離を示す残り距離が検出される。特に、残り距離は、衝突距離に到達した自動車と走行経路の終点との間に最短距離となる。本明細書において、走行経路は、自動車に対する物体の相対位置に基づいて検出されることが好ましい。したがって、不確定領域は、走行経路を決定する間に考慮されない。しかしながら、調整された衝突距離は、不確定領域に基づいて決定される。したがって、終点からの残り距離は、少なくとも１つの物体との衝突の危険性がないように決定されうる。
【００１７】
さらに、検出された走行経路に沿って自動車が走行するための速度プロファイルが、検出された残り距離に応じて決定されることが好ましい。残り距離は、不確定領域および／または安全距離を考慮して決定されることから、走行経路に沿って自動車が移動している間、物体と衝突する危険性がないことを高確率で想定することができる。したがって、走行経路に沿った速度プロファイルは、自動車の乗員が安全かつ快適な走行と感じられるものになるように決定されうる。
【００１８】
走行経路に沿った自動車の走行を示すモデルが決定されることが好ましく、衝突距離は、決定されたモデルに応じてさらに調整される。モデルを用いることで、自動車を少なくとも半自律的に操縦しても、ある状況下では、決定された走行経路に正確に沿って移動するわけではない事態を考慮することが可能となる。モデルは、特に、自動車の動きを示す動的モデルでありうる。したがって、モデルを用いて走行経路からの自動車のずれを考慮し、衝突距離の測定中に使用することができる。このようにして、走行経路に沿って移動中の自動車の相対位置を正確に決定することができる。
【００１９】
さらなる改良において、検出された走行経路に沿った走行中の自動車の位置が決定され、残り距離が自動車の決定された位置に基づいて調整される。自動車の位置は、例えば、走行距離計によって決定されうる。この目的のために、自動車の少なくとも１つの車輪の回転数および／または走行経路に沿って自動車が移動している間の操舵角が検知されうる。このようにして、残り距離を高信頼性に検出することができる。
【００２０】
さらに、自動車が走行経路に沿って走行する間に走行方向の変更を少なくとも１回行うようにする走行経路が決定され、走行方向の変更が実行される走行経路上の地点からの距離が検出されることが好ましい。特に、駐車プロセス中、走行経路は、走行経路に沿った移動中、自動車が走行方向の変更を、すなわち、後進から前進またはその逆への変更を行うようにする走行経路が決定されうる。上述した変更実行地点を出力することにより、走行経路に沿った自動車の移動を正確に決定することが可能となる。
【００２１】
検出された走行経路に沿った自動車の走行の速度プロファイルは、変更実行地点から検出された距離に応じてさらに決定されることが好ましい。走行経路上の変更実行地点からの自動車の距離は、走行方向の変更が実行される場所に達すると、出力される。自動車の乗員にとって快適かつ安全な運転感覚が得られるように、この距離に基づいて、現行位置から変更実行地点までの速度プロファイルが検出されうる。
【００２２】
さらなる実施形態において、自動車の周囲領域にさらなる物体がさらに検知されると、さらなる物体の現行位置が不確定領域内にあるか確認される。自動車の移動中、さらなる物体が、センサデバイスで検出または検知されうる。このようなさらなる物体は、例えば、自動車と少なくとも１つの物体との間を移動している歩行者でありうる。また、さらなる物体は、以前に検知されたことがない物体である場合もある。さらなる物体が不確定領域内になければ、自動車の動きは調整されうる。あるいはまたはさらに、走行経路が調整されうる。このようにして、自動車は安全に操縦されうる。
【００２３】
さらに、好適には、調整された衝突距離に応じて走行経路に沿って自動車の走行を制御するために、ステアリングシステム、ブレーキシステムおよび／または駆動エンジンへの介入がなされる。走行経路に沿って自動車を移動させるために、例えば、自動車の運転者支援システムがステアリング介入を行うことも可能である。この場合、運転者支援システムは、自動車の横方向の案内を行う。運転者は、アクセルペダルおよびブレーキを継続して作動させる。また、運転者支援システムは、走行経路に沿った自動車を操縦するために、自動車のブレーキおよび／または駆動エンジンをさらに作動させるようにすることも可能である。この場合、運転者支援システムは、自動車の長手方向の案内を行う。
【００２４】
さらなる実施形態において、走行経路に沿った走行中、自動車は、並列駐車の目的で駐車スペース内に移動し、または縦列駐車の目的で駐車スペース内に移動する。この場合、少なくとも１つの物体が駐車スペースの境界を定める。この駐車スペースは、自動車を並列駐車させるためのものでありうる。この代わりに、駐車スペースは、自動車を縦列駐車させるためのものでありうる。このようにして、運転者は、自動車の駐車中に支援されうる。また、自動車を駐車スペースから出すために、自動車が走行経路に沿って操縦されるようにすることも可能である。
【００２５】
本発明に係る運転者支援システムは、本発明に係る方法を実行するように構成される。運転者支援システムは、物体の位置を検出するセンサデバイスを備えることが好ましく、センサデバイスは、少なくとも１つの超音波センサ、少なくとも１つのカメラ、少なくとも１つのレーダセンサおよび／または少なくとも１つのレーザセンサを有する。このようにして、センサデバイスまたは対応する距離センサを用いて物体に対する相対位置を高信頼性に決定することが可能である。
【００２６】
本発明に係る自動車は、本発明に係る運転者支援システムを備える。自動車は、特に、乗用車として具体化される。
【００２７】
本発明に係る方法に関して提示する実施形態およびその利点は、本発明に係る運転者支援システムおよび本発明に係る自動車にも同様に当てはまる。
【００２８】
本発明のさらなる特徴は、特許請求の範囲、図面および図面の説明に見出されうる。上述した記載に明示したすべての特徴または特徴の組み合わせならびに図面の説明において以下に明示され、および／または、図面にのみ示されたすべての特徴および特徴の組み合わせは、それぞれ明治した組み合わせにおいてのみではなく、他の組み合わせまたは単独でも用いられうる。
【００２９】
以下、好ましい例示的な実施形態に基づいて添付の図面を参照しながら、本発明をより詳細に説明する。
【図面の簡単な説明】
【００３０】
【図１】本発明の一実施形態に係る自動車の概略図を示す。
【図２】自動車の周囲領域にある２つの物体およびそれぞれの不確定領域の概略図を示す。
【図３】図２に示す２つの物体に対する自動車の動きを示す。
【図４】さらなる実施形態における図２に示す２つの物体に対する自動車の動きを示す。
【図５】自動車が走行方向の変更を実行する場合の２つの物体に対する自動車の動きを示す。
【図６】自動車の周囲領域における第２の物体およびさらなる物体を示す。
【発明を実施するための形態】
【００３１】
図１は、本発明の一実施形態に係る自動車を示す。自動車１は、本発明の例示的な実施形態における乗用車として具体化されたものである。自動車１は、運転者支援システム２を備える。運転者支援システム２は、例えば、自動車１の制御ユニットによって形成される制御デバイス３を備える。さらに、運転者支援システム２は、センサデバイス９を備える。
【００３２】
本発明の例示的な実施形態において、センサデバイス９は、８個の距離センサ４を備える。本実施形態では、自動車１の前方領域５に４個の距離センサ４が配置され、自動車１の後方領域６に４個の距離センサ４が配置される。距離センサ４は、特に、自動車１の周囲領域７にある物体１２を検知するように構成される。さらに、距離センサ４は、自動車１の周囲領域７にある少なくとも１つの物体１０、１１からの距離を決定するように構成される。距離センサ４は、例えば、超音波センサ、レーダセンサ、レーザスキャナ、カメラ等として具体化されうる。また、例えば、自動車１の外側の側部領域にさらなる距離センサが配置されるようにすることも可能である。
【００３３】
さらに、自動車１は、駆動デバイス８を備える。駆動デバイス８は、自動車１の動力伝達系路を作動するように働きうる。特に、自動車１の駆動エンジンおよび／またはブレーキシステムが、駆動デバイス８で作動されうる。また、自動車１のステアリングシステムが駆動デバイス８によって作動されるようにすることも可能である。制御デバイス３は、データを伝送するために距離センサ４に接続される。明確にするために、対応するデータラインが示していない。さらに、制御デバイス３は、データを送信するために駆動デバイス８に接続される。
【００３４】
自動車１の周囲７にある少なくとも１つの物体１０、１１は、距離センサ４で検知されうる。さらに、物体１０、１１からの距離が決定されうる。この目的のために、例えば、距離センサ４の少なくとも１つを用いて信号が放出されてもよく、物体から反射された信号は、再度受信されうる。物体１０、１１からの距離は、制御デバイス３によって信号の通過時間に基づいて決定されうる。運転者支援システム２は、自動車１の現行位置をさらに検出しうる。この目的のために、衛星支援された位置決定システムの信号を考慮してもよい。さらに、自動車１の現行位置は、走行距離計によって決定されうる。この目的のために、例えば、自動車１の少なくとも１つの車輪の回転数および／または自動車の操舵角が検出されうる。物体１０、１１に対する自動車１の相対位置は、自動車１の現行位置と、自動車１と物体１０、１１との距離とに基づいて検出されうる。
【００３５】
さらに、制御デバイス３は、自動車１の走行経路１２を算出するように構成され、この走行経路１２は、自動車１が物体１０、１１を通過するさいに衝突せずに移動する経路を示す。この目的のために、例えば、制御デバイス３のメモリユニットに格納されたものなどの自動車１の外寸も考慮してもよい。運転者支援システム２によって、自動車１は、走行経路１２に沿って半自律的に移動されうる。この場合、ステアリングは、運転者支援システム２によって実行される。また、運転者は、アクセルペダルおよびブレーキを作動させる。この代わりとして、自動車１は、走行経路１２に沿って自律的に移動されうる。この状況において、運転者支援システム２は、自動車１の駆動およびブレーキを制御する。
【００３６】
運転者支援システム２および制御デバイス３は、走行経路１２に沿って、すなわち、走行経路１２の始点から終点まで走行するための速度プロファイルを決定するようにさらに構成される。自動車１が走行経路１２に沿って移動されると、自動車１は少なくとも１つの物体１０、１１に接近しうる。この場合、自動車１と物体１０、１１との間の衝突距離をしきい値と見なしうる。衝突距離は、走行経路１２に沿った走行中に物体１０、１１と衝突する危険性がある自動車１の領域と少なくとも１つの物体１０、１１との距離を示す。衝突距離のしきい値に達していなければ、自動車１は運転者支援システム２によって自動的に減速されうる。これにより、運転者が走行経路１２に沿った走行に不快や危険を感じないようにすることができる。
【００３７】
図２は、自動車１の周囲領域７に位置する第１の物体１０および第２の物体１１の平面図を示す。２つの物体１０、１１は、例えば、駐車スペースの境界を定めるものであってもよい。物体１０、１１の外寸は、制御デバイス３によって距離センサ４のセンサデータに基づいて決定される。物体１０、１１が距離センサ４で検知される場合、通常、測定誤差が生じる。これらの測定誤差は、距離センサ４の種類や測定法に起因しうる。さらに、物体１０、１１に対する自動車１の位置は、物体１０、１１の検知中に有用でありえ、および／または、自動車１の現行速度は、物体１０、１１の検知中に有用でありうる。自動車１と物体１０、１１との間のそれぞれ不確定領域ａ、ａ’を考慮することによって、これらの影響を及ぼす要因が考慮される。不確定領域ａまたはａ’は、いわば物体１０、１１の境界を定めるものでありうる。第１の物体１０に対する不確定領域ａにより、第１の安全物体１０’が得られる。第２の物体１１に対する不確定領域ａ’により、第２の安全物体１１’が得られる。不確定領域ａは、自動車１が走行経路１２に沿って操縦される前に決定される。衝突距離は、不確定領域ａ、ａ’と、安全物体１０’および１１’’とに基づいて調整される。そして、自動車１が物体１０、１１を通過するさいに移動する走行経路１２は、調整された衝突距離に基づいて決定されうる。
【００３８】
さらに、さらなる実施形態によれば、不確定領域ａ、ａ’または安全物体１０’、１１’が、走行経路１２に沿った自動車１の走行中に調整される。これは、図３に示されている。自動車１が、時間ｔに応じて物体１０、１１の方へ移動すると、物体１０、１１は、距離センサ４によってより高精度に検知されうる。その結果、それに応じて、不確定領域ａ、ａ’または安全物体１０’、１１’を調整することができるようになる。これにより、調整された不確定領域ｂおよびｂ’または調整された安全物体１０’’および１１’’が得られる。図３に、調整された安全物体１０’’および１１’’が点線で示されている。調整された安全物体１０’’および１１’’は、安全物体１０’および１１’とより比較的小さな空間範囲を有し、この空間範囲は、２つの物体１０および１１間にあり、自動車１に対して後退していることが明らかである。この理由は、自動車１が物体１０、１１に接近するまでこの領域をより高精度に検知できないためであり、したがって、調整された不確定領域ｂまたはｂ’を不確定領域ａ、ａ’より小さくなるように選択することもできる。
【００３９】
運転者支援システム２は、物体１０、１１の一方と衝突する危険性があるかを判定しうる。この目的のために、運転者支援システム２は、衝突距離を決定する。衝突距離の算出中、不確定領域ａ、ａ’または調整された不確定領域ｂ、ｂ’がそれぞれ考慮される。したがって、運転者支援システム２は、自動車１と物体１０、１１の一方とが衝突しない可能性が高い領域を示す残り距離１４を検出することもできる。残り距離１４は、特に、最短衝突距離に達したときの自動車１の位置と走行経路１２の終点との最短距離を示す。したがって、残り距離１４は、不確定領域ａ、ａ’または調整された不確定領域ｂ、ｂ’に応じて検出される。しかしながら、走行経路１２は、物体１０、１１に基づいて検出される。
【００４０】
図４は、さらなる例示的な実施形態を示す。この場合、自動車１は、２つの物体１０、１１の間を後進している。この場合、自動車１の外寸に加え、安全距離Ｓが考慮される。ここで、安全距離Ｓは、自動車１が矩形２０であると見なされるように選択される。安全距離Ｓは、衝突距離および／または残り距離１４の算出中に不確定領域ａ、ａ’に加えて考慮される。
【００４１】
残り距離１４は、走行経路１２に応じて決定される。走行経路１２に沿って自動車１が移動している間、ずれが生じうる。このようなずれは、例えば、自動車１のステアリングシステムが、運転者支援システム２により予め規定された操舵角に追従していないことにより生じうる。このずれを考慮するために、自動車１の動的モデルが使用されうる。この状況において、例えば、走行距離計により決定される自動車１の現在検出された位置に合わせて走行経路１２が予測されるということによって残り距離１４が算出されるようにすることも可能である。これにより、走行経路１３が予想または調整され、その走行経路１３に基づいて残り距離１４が決定される。
【００４２】
図５は、２つの物体１０、１１の間を自動車１が後進するさらなる例示的な実施形態を示す。２つの物体１０、１１は、例えば、駐車スペースの境界を定めるものであってもよい。この場合、走行経路１２は、走行経路１２に沿った走行中、自動車１が走行方向の変更を実行するように決定される。さらに、２つの物体１０、１１の位置が修正され、その結果、調整された境界線１６が生成される。物体１０、１１が新しく測定されると、元々計画されていた走行経路１２に沿った走行が物体１０、１１のいずれかとの衝突をもたらさないが、走行中の目標位置が走行経路１２に沿って到達しえないという問題が生じうる。この場合、走行経路１２の変更が必要になる。
【００４３】
図５に示す例示的な実施形態において、運転者支援システム２が、運転操縦の持続時間を短縮するために、計画よりも早く走行方向の変更を実行する場合もある。これは、走行経路１２に沿ったさらなる走行に衝突が起きない場合に実行されうる。この場合、自動車１の現行位置と、走行方向の変更が起きる走行経路１２上の地点との距離が、運転者支援システム２によって出力されうる。ここで、自動車１の駆動デバイスは、自動車１が変更実行地点まで移動するか、または衝突の危険性がないならば走行経路１２にさらに沿って移動するように運転者支援システム２によって作動されうる。自動車１はできるだけ早期に停止すべきであるが、快適性は保たれるべきである。自動車１は、調整された走行経路１３で移動しうる。本実施例において、走行経路上の残り距離１４および調整された走行経路１３上の残り距離１７は同じである。
【００４４】
走行経路１２に沿った自動車１の走行中、自動車１の周囲領域７におけるさらなる物体が、距離センサ４で検知される場合もある。これは、例えば、歩行者や他の道路利用者が、自動車１と第１の物体１０および／または第２の物体１１との間に位置する場合などである。また、さらなる物体が後の時点でしか検知されない場合もある。
【００４５】
これらのさらなる物体は、対応する特徴に割り当てられうる。これは、第２の物体１１の例を用いて、図６に概略的に明示されている。この状況において、不確定領域ａ’内に位置するさらなる物体と、不確定領域ａ’外に位置するさらなる物体との間の区別がなされる。不確定領域ａ’内に位置するさらなる物体は、複数の特徴１８を形成するようにグループ化される。不確定領域ａ’外に位置するさらなる物体は、特徴１９を形成するようにグループ化される。この状況において、さらなる物体からの衝突距離が検出されるように設けることも可能である。少なくとも１つのさらなる物体が不確定領域ａ’外に位置すれば、さらなる物体からの衝突距離は、速度プロファイルの検出中に考慮されうる。
【００４６】
上述した例示的な実施形態において、駆動デバイス８は、残り距離１４の最小値が、走行経路１２に沿った速度プロファイルを検出するために使用されるように動力伝達系路を作動させうる。物体１０、１１の一方と自動車１との間にさらなる物体が位置していなければ、運転者支援システム２は、速度プロファイルを決定するために残り衝突距離を用いうる。走行経路１２に沿った走行中、不確定領域ａ、ａ’および／または安全距離Ｓが衝突距離の決定中に考慮されるため、衝突距離は任意の比較的小さな値に達しない。このようにして、自動車１は、車両の乗員が走行を快適かつ安全に感じるように走行経路１２に沿って操縦されうる。
【図１】
0006474888.tif 000002
【図２】
0006474888.tif 000003
【図３】
0006474888.tif 000004
【図４】
0006474888.tif 000005
【図５】
0006474888.tif 000006
【図６】
0006474888.tif 000007